(57)【特許請求の範囲】
【請求項１】
ビル内に設置された複数台のエレベータかごを複数のバンクに分割して運転制御する群管理制御装置を複数有したエレベータ統合群管理システムにおいて、
前記バンクは前記ビルの離れた位置に配置され、
乗客の目的地を登録する情報端末と、
前記ビル内の地図情報が記憶されたビル情報記憶部と、
を備え、
前記情報端末及び目的地の位置情報と前記地図情報とから前記乗客の乗り階及び降り階を示す行先階呼び情報と、
前記乗客が前記情報端末の位置から各前記バンクを利用して移動した場合の前記目的地までの経路と、
前記情報端末の位置から各前記バンクまで、及び各前記バンクを利用して移動したときのエレベータかご降車後の各前記バンクから前記目的地まで、の移動距離及び移動時間と、
前記行先階呼び情報と前記群管理制御装置の制御情報とから各前記エレベータかごに割当てたときの乗客の待ち時間と、乗り階から降り階までの所要時間と、エレベータかご内混雑度と、を演算し、
演算された値に基づいて乗客が利用すべきエレベータかごの候補を複数選定し、前記乗客による選択を可能とし、選択された前記エレベータかごへの割当て及び前記経路の案内表示を行い、前記エレベータかごの候補は、少なくとも前記目的地までの総所要時間最短，目的地までの移動距離最短，エレベータかご混雑度が低い、ものを最終的に選定して、前記情報端末へ表示し、
前記目的地までの総所要時間最短の選定は、前記情報端末からバンクまでの演算した経路に基づく移動時間と、乗客のバンク到着後の待ち時間と、乗車時間と、乗客のエレベータかご降車後のバンクから目的地までの演算した経路に基づく移動時間と、の合計値が最短のものを選定し、
前記目的地までの移動距離最短の選定は、前記情報端末からバンクまでの演算した経路に基づく移動距離と、乗客のエレベータかご降車後のバンクから目的地までの演算した経路に基づく移動距離と、の合計値が最短のものを選定し、
エレベータかご混雑度が低いの選定は、混雑度が予め設定した値以下になる場合に低いと判定し、低いと判定されたエレベータかごが複数ある場合は、待ち時間及び乗車時間の短いエレベータかごを選定する、ことを特徴とするエレベータ統合群管理システム。
【請求項２】
請求項１に記載のエレベータ統合群管理システムにおいて、前記情報端末はＩＤ情報が記憶された固定情報端末とされ、前記情報端末の位置情報は前記ＩＤ情報より求められることを特徴とするエレベータ統合群管理システム。
【請求項３】
請求項１に記載のエレベータ統合群管理システムにおいて、前記情報端末は携帯が可能で現在位置情報が記憶され、前記現在位置情報が送信可能とされた携帯情報端末とされたことを特徴とするエレベータ統合群管理システム。
【請求項４】
請求項１に記載のエレベータ統合群管理システムにおいて、前記経路の案内表示は、前記情報端末の位置から割当てられた前記エレベータかごが属する前記バンクまでの経路を表示することを特徴とするエレベータ統合群管理システム。
【請求項５】
請求項１に記載のエレベータ統合群管理システムにおいて、前記経路の案内表示は、割当てられた前記エレベータかごを利用して移動したときのエレベータかご降車後の前記目的地までの経路を表示することを特徴とするエレベータ統合群管理システム。
【請求項６】
請求項１に記載のエレベータ統合群管理システムにおいて、前記情報端末は携帯が可能で現在位置情報が記憶され、前記現在位置情報が送信可能とされた携帯情報端末とされ、前記携帯情報端末の現在位置と前記経路とに基づいて乗客が前記経路から逸脱していることを検出し、表示することを特徴とするエレベータ統合群管理システム。
【請求項７】
請求項６に記載のエレベータ統合群管理システムにおいて、乗客が前記経路から逸脱していることが検出された場合、前記経路へ戻る旨を前記携帯情報端末に報知することを特徴とするエレベータ統合群管理システム。
【請求項８】
請求項６に記載のエレベータ統合群管理システムにおいて、乗客が前記経路から逸脱していることが検出された場合、乗客の選択したかごへの割当てを取り消し、乗客へ前記経路に戻る旨のメッセージを表示することを特徴とするエレベータ統合群管理システム。
【請求項９】
請求項１に記載のエレベータ統合群管理システムにおいて、乗客の利用頻度の高いエレベータバンクを記憶し、前記エレベータかごの候補は利用頻度の高いものを上位に表示することを特徴とするエレベータ統合群管理システム。
【発明の詳細な説明】
【技術分野】
【０００１】
本発明は、複数台のエレベータかごを複数のバンクに分割して運転する群管理システムに関し、特に、バンクがビルの離れた場所に配置されたものに好適である。
【背景技術】
【０００２】
エレベータ群管理システムは、複数台のエレベータ（かご）を一つのグループとして扱って管理する。また、近年、高層のオフィスビルは、階床数が多く、利用者のサービス向上のために、それぞれ特定の階床に停止させる数層（低層用，中層用，高層用）にバンクとして分割することが多い。例えば、２８階床のビルに対しては、バンクＡは１階から１４階までをサービスし、バンクＢは１階及び１５階から２８階をサービスさせる。このような場合、バンクＡとバンクＢは隣接されて設置される。
【０００３】
さらに、大規模なオフィスビルは、ビル自体が大きいため、バンクがビル内の離れた場所に配置される。例えば、ビルの北部には、１階から１４階までをサービスするバンクＡと、１階及び１５階から２８階までをサービスするバンクＢが設置され、ビルの南部には、１階から１４階までをサービスするバンクＣと１階及び１５階から２８階までをサービスするバンクＤが設置される。
【０００４】
複数のバンクに分割されたエレベータシステムにおいて、利用者がそれぞれの都合に応じて自己の要求するルートを容易に選択できるようにするため、エレベータ乗場に行先階登録ボタン，エントランスディスプレイ及びバンク呼び登録ボタンを設け、利用者が行先階登録ボタンを押すと、各バンクによるルートの所要時間やかごの混み具合を表示することが知られ、例えば、特許文献１に記載されている。
【先行技術文献】
【特許文献】
【０００５】
【特許文献１】特開平６−３２１４４５号公報
【発明の概要】
【発明が解決しようとする課題】
【０００６】
上記従来技術においては、バンクがビル内に隣接して設置されている場合には良いが、かご降車後については考慮されていないため、乗客の現在位置から目的地までの移動が十分考慮されていない。したがって、バンクがビル内の離れた場所に配置された大規模なビルには対応できず、特に、多少待っても余計に歩きたくない、空いているかごに乗りたい、などの要求に応えることは困難である。
【０００７】
本発明の目的は、上記従来技術の課題を解決し、バンクが離れた場所に配置された大規模なオフィスビルであっても、乗客の要求に応じて、目的地までの円滑な移動を可能とし、特に、ビルに初めて訪れた乗客に対しても容易に目的地に向かうことができ、エレベータシステムとしての運行効率を損なわないようにするものである。
【課題を解決するための手段】
【０００８】
上記課題を解決するため、本発明は、ビル内に設置された複数台のエレベータかごを複数のバンクに分割して運転制御する群管理制御装置を複数有したエレベータ統合群管理システムにおいて、前記バンクは前記ビルの離れた位置に配置され、乗客の目的地を登録する情報端末と、前記ビル内の地図情報が記憶されたビル情報記憶部と、を備え、前記情報端末及び目的地の位置情報と前記地図情報とから前記乗客の乗り階及び降り階を示す行先階呼び情報と、前記乗客が前記情報端末の位置から各前記バンクを利用して移動した場合の前記目的地までの経路と、前記情報端末の位置から各前記バンクまで、及び各前記バンクを利用して移動したときのエレベータかご降車後の各前記バンクから前記目的地まで、の移動距離及び移動時間と、前記行先階呼び情報と前記群管理制御装置の制御情報とから各前記エレベータかごに割当てたときの乗客の待ち時間と、乗り階から降り階までの所要時間と、エレベータかご内混雑度と、を演算し、演算された値に基づいて乗客が利用すべきエレベータかごの候補を複数選定し、前記乗客による選択を可能とし、選択された前記エレベータかごへの割当て及び前記経路の案内表示を行い、前記エレベータかごの候補は、少なくとも前記目的地までの総所要時間最短，目的地までの移動距離最短，エレベータかご混雑度が低い、ものを最終的に選定して、前記情報端末へ表示し、前記目的地までの総所要時間最短の選定は、前記情報端末からバンクまでの演算した経路に基づく移動時間と、乗客のバンク到着後の待ち時間と、乗車時間と、乗客のエレベータかご降車後のバンクから目的地までの演算した経路に基づく移動時間と、の合計値が最短のものを選定し、前記目的地までの移動距離最短の選定は、前記情報端末からバンクまでの演算した経路に基づく移動距離と、乗客のエレベータかご降車後のバンクから目的地までの演算した経路に基づく移動距離と、の合計値が最短のものを選定し、エレベータかご混雑度が低いの選定は、混雑度が予め設定した値以下になる場合に低いと判定し、低いと判定されたエレベータかごが複数ある場合は、待ち時間及び乗車時間の短いエレベータかごを選定する、ものである。
【発明の効果】
【０００９】
本発明によれば、行先階呼び情報と、目的地までの経路と、バンクまで、及び降車後のバンクから目的地までの移動距離及び移動時間と、乗客の待ち時間と、乗り階から降り階までの所要時間と、エレベータかご内混雑度と、を演算し、乗客が利用すべきエレベータかごの案内表示を行うので、バンクが離れた場所に配置されたオフィスビルであっても、乗客の目的地までの円滑な移動を可能として運行効率を向上できる。
【図面の簡単な説明】
【００１０】
【図１】本発明による一実施の形態を示すブロック図。
【図２】一実施の形態の通信動作（１）を示すチャート図。
【図３】一実施の形態の通信動作（２）を示すチャート図。
【図４】一実施の形態の通信動作（３）を示すチャート図。
【図５】一実施の形態の割当てかご候補選定手段の詳細を示すフローチャート。
【図６】一実施の形態の画面表示の例（１）。
【図７】一実施の形態の画面表示の例（２）。
【図８】一実施の形態の画面表示の例（３）。
【図９】一実施の形態の画面表示の例（４）。
【図１０】一実施の形態の画面表示の例（５）。
【図１１】一実施の形態の画面表示の例（６）。
【図１２】一実施の形態の画面表示の例（７）。
【図１３】本発明による他の実施の形態を示すブロック図。
【図１４】他の実施の形態の画面表示の例（１）。
【図１５】他の実施の形態の画面表示の例（２）。
【図１６】本発明による、さらに他の実施の形態を示すブロック図。
【図１７】さらに、他の実施の形態の画面表示の例（１）。
【図１８】本発明による、さらに他の実施の形態を示すブロック図。
【図１９】さらに、他の実施の形態の画面表示の例（１）。
【図２０】本発明による、さらに他の実施の形態を示すブロック図。
【図２１】さらに、他の実施の形態の画面表示の例（１）。
【発明を実施するための形態】
【００１１】
大規模なビルでのエレベータかごのサービスに対する要求は、多少遠回りをしても早く目的地に着きたい、多少待っても余計に歩きたくない、空いているかごに乗りたいなど、乗客によって異なる。そこで、乗客の目的地を登録してから目的地に到着するまでの、水平方向（同一階床）の移動及び垂直方向（エレベータかご）の移動の両方を考慮し、エレベータかごへの割当て及びビル内の目的地までの案内を行う。
【００１２】
以下、本発明の一実施の形態について、図面を参照して説明する。図１は、エレベータ統合群管理システムを示すブロック図である。  
エレベータの群管理システムは、固定情報端末１０１，１０２と、統合群管理制御装置２と、複数台のエレベータかごを一つの群として統括制御するＫ群の群管理制御装置３０，３１とを備えている。固定情報端末１０１，１０２は、ビル内の各階床、または特定の階床に１つ以上設置され、乗客の目的地の登録や、乗客の割当てエレベータかごの候補の表示，乗客の案内ルートの表示，乗客の利用するエレベータかごの登録などを行う。
【００１３】
統合群管理制御装置２は、通信手段２０１と、端末位置検出手段２０２と、目的地検出手段２０３と、ビル情報記憶部２０４と、行先階呼び変換手段２０５と、移動経路演算手段２０６と、移動距離・移動時間演算手段２０７と、仮割当て情報収集手段２０８と、割当てかご候補選定手段２０９と、割当てかご決定手段２１０と、案内情報生成手段２１１と、通信手段２１２とを備えている。通信手段２１２は、統合群管理制御装置２と固定情報端末１０１，１０２間の通信を行う。
【００１４】
端末位置検出手段２０２は、乗客が固定情報端末１０１，１０２を用いて目的地を登録した時の送信データに含まれる固定情報端末のＩＤ情報を取得し、取得されたＩＤ情報より固定情報端末の位置が求められる。目的地検出手段２０３は、同様に、送信データに含まれる乗客の目的地情報を取得し、目的地の位置情報を求める。
【００１５】
ビル情報記憶部２０４は、ビル内の地図情報が記憶されている。
【００１６】
行先階呼び変換手段２０５は、固定情報端末のＩＤ情報と、乗客の目的地情報と、に基づいて、乗客の乗り階及び降り階を示す行先階呼び情報に変換する。
【００１７】
移動経路演算手段２０６は、固定情報端末のＩＤ情報と、乗客の目的地情報と、ビル内の地図情報と、に基づいて、固定情報端末の位置からビル内の各バンクまでの経路と、各バンクを利用して移動した時のエレベータかご降車後の各バンクから目的地までの経路と、を演算する。
【００１８】
移動距離・移動時間演算手段２０７は、移動経路演算手段２０６にて演算した経路に基づいて、固定情報端末の位置からビル内の各バンクまでと、各バンクを利用して移動した時のエレベータかご降車後の各バンクから目的地までの移動距離及び移動時間を演算する。
【００１９】
仮割当て情報収集手段２０８は、群管理制御装置３０，３１内の各エレベータかごに行先階呼び変換手段２０５により変換された行先階呼びを仮割当てした時の、乗客の待ち時間，乗り階から降り階までの所要時間，エレベータかご内混雑度を仮割当て情報として群管理制御装置３０，３１より収集する。
【００２０】
割当てかご候補選定手段２０９は、移動距離・移動時間演算手段２０７により演算された固定情報端末の位置からビル内の各バンクまでと、各バンクを利用して移動した時のエレベータかご降車後の各バンクから目的地までの移動距離及び移動時間と、仮割当て情報から乗客が利用するエレベータかごの候補を１つ以上選定する。割当てかご決定手段２１０は、選定されたエレベータかごの候補が存在する群管理制御装置３０，３１に対してエレベータかごへの割当て指令を送信する。
【００２１】
案内情報生成手段２１１は、固定情報端末１０１，１０２からの乗客の操作による要求を検出したとき、または、割当てかご決定手段２１０により乗客が選択したエレベータかごを検出したとき、エレベータかごの候補に対して、移動経路演算手段２０６にて演算した移動経路からビル内の移動経路の案内地図を生成する。なお、通信手段２１２は、統合群管理制御装置２と群管理制御装置３０，３１間の通信を行う。
【００２２】
次に、動作について説明する。図２，図３、および図４は、図１の固定情報端末１０１，１０２と、統合群管理制御装置２との間、及び統合群管理装置２と群管理制御装置３０，３１との間の目的地登録時の通信動作を示す。  
図２において、固定情報端末１０１，１０２は、乗客により目的地の登録が行われると、固定情報端末からの目的地登録データを統合群管理制御装置２へ送信する（Ｆ１）。目的地登録データは、目的地情報と固定情報端末の端末ＩＤ情報とが含まれている。
【００２３】
統合群管理装置２は、固定情報端末からの目的地登録データを受信すると（Ｆ２）、端末ＩＤ情報及び目的地情報を取得し（Ｆ３）、取得した端末ＩＤ情報と目的地情報と、から乗客の乗り階と降り階からなる行先階呼び情報に変換する（Ｆ４）。
【００２４】
移動経路演算手段により演算した固定情報端末から各エレベータかごバンクまで、及び各エレベータかごバンクから目的地までの移動経路を演算し（Ｆ５）、演算結果に基づいて移動距離及び移動時間を演算後（Ｆ６）、行先階呼びの仮割当て要求を群管理制御装置に送信する（Ｆ７）。
【００２５】
群管理制御装置３０，３１は、仮割当て要求を受信すると（Ｆ８）、各群管理制御装置内の各エレベータかごへ仮割当てを行い、統合群管理制御装置へ仮割当て情報を送信する（Ｆ９）。統合群管理制御装置２は、仮割当て情報を受信すると（Ｆ１０）、割当てエレベータかごの候補を選定し（Ｆ１１）、固定情報端末１０１，１０２へ割当てエレベータかごの候補を送信する（Ｆ１２）。  
固定情報端末１０１，１０２は、割当てエレベータかごの候補を受信すると（Ｆ１３）、割当てエレベータかごの候補を固定情報端末に表示する（Ｆ１４）。
【００２６】
固定情報端末からの乗客の操作により、割当て候補エレベータかごに対する経路案内要求があったとき、図３に示すように割当て候補エレベータかごの経路案内要求を統合群管理装置２へ送信する（Ｆ１５）。
【００２７】
統合群管理装置２は、割当て候補エレベータかごの経路案内要求を受信すると（Ｆ１６）、割当て候補エレベータかごの案内経路を生成し（Ｆ１７）、固定情報端末１０１，１０２へ割当て候補エレベータかごの案内経路を送信する（Ｆ１８）。固定情報端末１０１，１０２は、割当て候補エレベータかごの案内経路を受信すると（Ｆ１９）、割当て候補エレベータかごの案内経路を固定情報端末に表示する（Ｆ２０）。
【００２８】
固定情報端末からの乗客の操作により、利用するエレベータかごの登録要求があったとき、図４に示すように統合群管理制御装置２へ送信する（Ｆ２１）。統合群管理装置２は、利用するエレベータかごの登録要求を受信すると（Ｆ２２）、エレベータかごへの割当て要求を群管理制御装置３０，３１に送信する（Ｆ２３）。
【００２９】
群管理制御装置３０，３１は、エレベータかごへの割当て要求を受信すると（Ｆ２４）、エレベータかごへの割当てを行い（Ｆ２５）、割当て完了通知を統合群管理制御装置２へ送信する（Ｆ２６）。
【００３０】
統合群管理制御装置２は、割当て完了通知を受信すると（Ｆ２７）、割当てエレベータかごの案内経路を生成し（Ｆ２８）、固定情報端末１０１，１０２へ送信する（Ｆ２９）。
【００３１】
固定情報端末１０１，１０２は、割当てエレベータかごの案内経路を受信すると（Ｆ３０）、割当てエレベータかごの案内経路を固定情報端末に表示する（Ｆ３１）。
【００３２】
割当て候補エレベータかごの選定について説明する。図５は図１の統合群管理制御装置２における割当てかご候補選定手段２０９の詳細を示す説明図である。固定情報端末−バンク間・バンク−目的地間の移動距離及び移動時間と、仮割当て情報と、を取得する（ＦＴ１，ＦＴ２）。
【００３３】
ビル内の全てのバンク内のエレベータかごについて、バンクへの移動時間と、エレベータかごの乗り階への到着予測時間に基づいて、エレベータかごの到着までにバンクの乗り場に乗客がたどり着けないかどうかを判定し、たどり着けない場合（ＦＴ３：Ｙｅｓ）、該当するエレベータかごを割当てエレベータかご候補から除外する（ＦＴ４）。
【００３４】
乗客のバンク到着後の待ち時間最短，乗車時間最短，エレベータかご混雑度が低い、の条件に該当するエレベータかごをそのバンクの割当てエレベータかご候補とする（ＦＴ５）。
【００３５】
エレベータかご混雑度は、予め設定した値以下になる場合に低いと判定する。例えば、エレベータかご混雑度が３０％以下のエレベータかごをエレベータかご混雑度が低いと判定する。また、エレベータかご混雑度が低いと判定されたエレベータかごが複数ある場合は、待ち時間及び乗車時間の短いエレベータかごを候補とする。
【００３６】
全てのバンクについてＦＴ５による割当てエレベータかご候補の選定を終了後、少なくとも下記３条件に該当するエレベータかごを最終的な割当てエレベータかご候補として選定する（ＦＴ６）。
（１）目的地までの総所要時間最短
（２）目的地までの移動距離最短
（３）エレベータかご混雑度が低い
【００３７】
目的地までの総所要時間は、固定情報端末からバンクまでの移動時間と、乗客のバンク到着後の待ち時間と、乗車時間と、乗客のエレベータかご降車後のバンクから目的地までの移動時間と、の合計値として算出する。目的地までの移動距離は、固定情報端末からバンクまでの移動距離と、乗客のエレベータかご降車後のバンクから目的地までの移動距離と、の合計値として算出する。また、エレベータかご混雑度が低い候補については、エレベータかご混雑度が低いかごの中から、目的地までの総所要時間及び目的地までの移動距離の短いエレベータかごを候補とする。
【００３８】
以上の処理により、割当てエレベータかご候補の選定が行われる。
【００３９】
次に、固定情報端末に表示される画面の例を図６から図１２を用いて説明する。図６から図１２の画面の例では、タッチパネルの例で説明するが、タッチパネル以外に、テンキーなどのボタン部とディスプレイ部に分離された固定情報端末でも同様である。
【００４０】
図６は固定情報端末における乗客の目的地の登録の初期画面を示し、固定情報端末Ｄ１０１は、タッチパネルによるディスプレイＤ１０２を備えている。Ｄ１０３は、乗客に対して、目的地の階を登録するようにメッセージを表示している。
【００４１】
乗客がＤ１０４にあるテンキータイプのタッチパネルのボタンの操作により、目的地の階を入力すると、Ｄ１０５に入力した目的地の階が表示される。乗客はこの表示を確認後、目的地の階が正しければ登録ボタンＤ１０６を操作し、目的地の階を登録する。一方で、目的地の階を誤って入力したときは、ボタンＤ１０７の操作により、目的地の階の入力を取り消す。
【００４２】
図７は、図６の画面において、７階を登録した時の画面の例である。Ｄ１１０では、乗客に対して、目的地を指定するようにメッセージを表示している。Ｄ１１１は、目的地のボタンとなっており、乗客は目的地ボタンにより目的地を登録する。目的地の階の登録を誤った場合は、ボタンＤ１１２の操作により、図５に示す画面に遷移する。
【００４３】
図８は、図１の統合群管理制御装置２における割当てかご候補選定手段２０９により割当てエレベータかごが選定された後の画面の例である。Ｄ１２０では、乗客に対して、割当てエレベータかご候補に基づいた経路から利用する経路を選択するようにメッセージを表示している。Ｄ１２１では、経路の候補とその特徴を表示している。Ｄ１２２では、経路に対応したエレベータかごのバンク及びエレベータかごを表示している。Ｄ１２３では、経路に対応した所要時間及び歩行距離を示している。乗客が割当てエレベータかご候補の経路を参照したいときは、ボタンＤ１２４の操作により、経路を参照する。ボタンＤ１２５は、経路を選択するためのボタンとなっており、乗客は経路の候補の中からボタンの操作により利用する経路を選択する。
【００４４】
図９は、図８の画面において、経路１の経路参照ボタンを操作した時の画面の例である。Ｄ１３１では、乗客に対して、どの経路を表示しているのかを示している。Ｄ１３２では、現在位置から、バンクＡに属する３号機までのルートを表示している。ボタンＤ１３３は、目的地までの経路を参照するためのボタンとなっており、乗客の操作により、エレベータかご降車後の目的地までの経路を参照する。Ｄ１３４は経路を選択する画面へ戻るためのボタンであり、乗客の操作により、図８に示す画面に遷移する。
【００４５】
図１０は、図９の画面において、Ｄ１３３のボタンを乗客が操作した時の画面の例である。Ｄ１４１では、乗客に対して、どの経路を表示しているのかを示している。Ｄ１４２では、エレベータかご降車後の、目的地までのルートを表示している。Ｄ１４３は、現在位置からバンクＡの３号機までの経路を参照するためのボタンとなっており、乗客の操作により、図９に示す画面に遷移する。Ｄ１４４は経路を選択する画面へ戻るためのボタンであり、乗客の操作により、図８に示す画面に遷移する。
【００４６】
図１１は、図８の画面において、経路１の選択ボタンを操作した時の画面の例である。ボタンＤ１３５は、目的地までの経路を参照するためのボタンとなっており、乗客の操作により、エレベータかご降車後の目的地までの経路を参照する。Ｄ１３６は経路案内を終了するためのボタンであり、乗客の操作により、図６に示す画面に遷移する。
【００４７】
図１２は、図１２の画面において、Ｄ１３５のボタンを乗客が操作した時の画面の例である。Ｄ１４５は、現在位置からバンクＡの３号機までの経路を参照するためのボタンとなっており、乗客の操作により、図１１に示す画面に遷移する。Ｄ１４６は経路案内を終了するためのボタンであり、乗客の操作により、図６に示す画面に遷移する。
【００４８】
以上説明したエレベータかご群管理システムでは、乗客の目的地までの移動に関して、ビルの離れた場所にある複数のバンクから、統合群管理制御装置が乗客の利用するエレベータかごの候補を選定し、乗客は、選定されたエレベータかごの候補のサービス状況や経路を参照して利用することができるため、目的地までの到着について、乗客の好みにあったサービスを受けることができる。また、目的地までの経路を案内することにより、ビルに初めて訪れた乗客でも、スムーズに目的地に向かうことが可能となる。
【００４９】
図１３は、他の実施の形態によるエレベータ統合群管理システムを示すブロック図である。固定情報端末１０１，１０２を乗客に携帯が可能とされた携帯情報端末４に、端末位置検出手段２０２を端末位置検出手段２１３に、案内情報生成手段２１１を現在案内情報生成手段２１４としている。
【００５０】
端末位置検出手段２１３は、乗客が携帯情報端末４を用いて目的地登録時の送信データに含まれる携帯情報端末の現在位置情報を取得する。
【００５１】
行先階呼び変換手段２０５は、端末位置検出手段２１３により取得した携帯情報端末の現在位置と、目的地取得手段２０３により取得した乗客の目的地情報に基づいて、乗客の乗り階及び降り階を示す行先階呼び情報に変換する。
【００５２】
現在案内情報生成手段２１４は、割当てかご候補選定手段２０９で選定した乗客の利用するかごの候補に対して、携帯情報端末４からの乗客の操作による要求を検出したとき、又は、割当てかご決定手段２１０により乗客が選択したかごを検出したときに、移動経路演算手段２０６にて演算した移動経路から、ビル内の移動経路の案内地図を生成する。また、端末位置検出手段２１３により検出した携帯情報端末４の現在位置に基づいて、移動経路の案内地図を更新する。
【００５３】
次に、携帯情報端末に表示される画面の例を図１４から図１８を用いて説明する。図１４から図１８の画面の例では、タッチパネルの例で説明するが、タッチパネル以外に、テンキーなどのボタン部とディスプレイ部に分離された固定情報端末の場合でも同様である。
【００５４】
図１４は携帯情報端末における、乗客の目的地の登録の初期画面を示す。携帯情報端末Ｄ２０１は、タッチパネルによるディスプレイＤ２０２を備えている。Ｄ２０３は、乗客に対して、目的地の登録方法を選択するようにメッセージを表示している。乗客の操作により、Ｄ２０４のボタンが押された場合は、図１５の画面に遷移する。Ｄ２０５のボタンが押された場合は、図６と同様の画面に遷移する。ただし、携帯情報端末への画面表示である。
【００５５】
図１５は、図１４の画面において、Ｄ２０４の『いつもの行先から指定』のボタンを押した時の画面を示す。Ｄ２１１では、乗客に対して、画面に表示されるＤ２１２の目的地から、目的地を指定するメッセージを表示している。Ｄ２１２は、目的地を指定するためのボタンとなっており、携帯情報端末を操作している乗客の利用頻度の高い目的地が一つ以上表示される。乗客は、目的地の登録方法の選択を誤った場合は、Ｄ２１３のボタンを操作することにより、図１４に示す画面に遷移する。
【００５６】
図１３の統合群管理制御装置２における割当てかご候補選定手段２０９による割当てかご候補の選定後は、図８と同様の画面に遷移する。図９は、図８の画面において、経路１の経路参照ボタンを操作した時の画面の例である。Ｄ１３１では、乗客に対して、どの経路を表示しているのかを示している。Ｄ１３２では、現在位置から、バンクＡの３号機までのルートを表示している。ボタンＤ１３３は、目的地までの経路を参照するためのボタンとなっており、乗客の操作により、かご降車後の目的地までの経路を参照することができる。Ｄ１３４は経路を選択する画面へ戻るためのボタンであり、乗客の操作により、図８に示す画面に遷移する。
【００５７】
図１０は、図９の画面において、Ｄ１３３のボタンを乗客が操作した時の画面の例である。Ｄ１４１では、乗客に対して、どの経路を表示しているのかを示している。Ｄ１４２では、かご降車後の、目的地までのルートを表示している。Ｄ１４３は、現在位置からバンクＡの３号機までの経路を参照するためのボタンとなっており、乗客の操作により、図９に示す画面に遷移する。Ｄ１４４は経路を選択する画面へ戻るためのボタンであり、乗客の操作により、図８に示す画面に遷移する。
【００５８】
図１１は、図８の画面において、経路１の選択ボタンを操作した時の画面の例である。ボタンＤ１３５は、目的地までの経路を参照するためのボタンとなっており、乗客の操作により、かご降車後の目的地までの経路を参照することができる。Ｄ１３６は経路案内を終了するためのボタンであり、乗客の操作により、図６に示す画面に遷移する。
【００５９】
図１２は、図１１の画面において、Ｄ１３５のボタンを乗客が操作した時の画面の例である。Ｄ１４５は、現在位置からバンクＡの３号機までの経路を参照するためのボタンとなっており、乗客の操作により、図１１に示す画面に遷移する。Ｄ１４６は経路案内を終了するためのボタンであり、乗客の操作により、図６に示す画面に遷移する。
【００６０】
乗客の目的地までの移動に関して、ビルの離れた場所にある複数のバンクから、統合群管理制御装置が乗客の利用するかごの候補を選定し、乗客は、選定されたかごの候補のサービス状況や経路を参照して利用することができるため、目的地までの到着について、乗客の好みにあったサービスを受けることができる。
【００６１】
また、目的地までの経路を案内することにより、ビルに初めて訪れた乗客でも、スムーズに目的地に向かうことが可能となる。
【００６２】
上記のように携帯情報端末を用いることにより、乗客はビル内のどこからでも目的地を登録することが可能となる。また、目的地到着まで経路を案内することにより、ビルに初めて訪れた乗客でも、スムーズに目的地に向かうことが可能となる。
【００６３】
図１６は、さらに、他の実施の形態によるエレベータ統合群管理システムを示すブロック図であり、経路逸脱検出手段２１５および経路逸脱報知手段２１６が追加されている。
【００６４】
経路逸脱検出手段２１５は、端末位置検出手段２１３により検出した、携帯情報端末４の現在位置と、現在案内情報生成手段２１４により生成した経路案内地図から、利用者が案内経路から逸脱していることを検出する。経路逸脱報知手段２１６は、経路逸脱検出手段２１５により検出した利用者の経路逸脱情報に基づいて、携帯情報端末４に対して案内経路へもどる旨を報知する。
【００６５】
図１７は、携帯情報端末に表示される画面を示す。タッチパネルの例であり、それ以外に、テンキーなどのボタン部とディスプレイ部に分離された固定情報端末でも良い。Ｄ３０１では、乗客に対して、案内した経路に戻る旨のメッセージを表示している。また、Ｄ３０２では、割当て時に案内した経路を、Ｄ３０３では現在の利用者の進行方向が案内経路と異なることを明示している。また、携帯情報端末４を用いて音声による報知を行っても良い。
【００６６】
乗客が案内経路を逸脱したことを検出し、案内経路に戻るよう促すことにより、無駄なかごの呼び寄せによる群管理性能の悪化を防止することが可能となる。
【００６７】
図１８は、さらに、他の実施の形態を示すブロック図であり、経路逸脱報知手段２１６を割当て取消報知手段２１７に置き換え、割当て取消手段２１８を追加している。
【００６８】
割当て取消報知手段２１７は、経路逸脱検出手段２１５により検出した利用者の経路逸脱情報に基づいて、経路の逸脱により割当てを取消した旨を報知する。割当て取消手段２１８は、経路逸脱検出手段２１５により検出した利用者の経路逸脱情報に基づいて、割当てたかごが含まれる群管理制御装置に対して、割当ての取消しを行う。
【００６９】
図１９は、携帯情報端末に表示される画面であり、タッチパネルの例である。Ｄ３０１では、乗客に対して、案内した経路に戻る旨のメッセージを表示している。また、Ｄ４０２では、割当て時に案内した経路を、Ｄ４０３ではＤ４０２の案内経路が、割当ての取消しにより無効となったことを明示している。
【００７０】
乗客が案内経路を逸脱したことを検出し、割当てを取消すため、無駄なかごの呼び寄せによる群管理性能の悪化を防止することが可能となる。
【００７１】
図２０は、さらに、他の実施の形態を示すブロック図であり、利用バンク記憶部２１９を追加している。利用バンク記憶部２１９では、利用者毎に利用頻度の高いエレベータバンクを記憶する。
【００７２】
割当てかご候補選定手段２０９は、移動距離・移動時間演算手段２０７により演算した固定情報端末の位置からビル内の各バンクまでと、各バンクを利用して移動した時の、かご降車後の各バンクから目的地までの移動距離及び移動時間と、仮割当て情報収集手段２０８にて収集した仮割当て情報に加え、利用バンク記憶部２１９に記憶された乗客の利用頻度の高いエレベータバンクから、乗客が利用するかごの候補を１つ以上選定する。
【００７３】
図２１は、携帯情報端末に表示される画面の例であり、タッチパネルの例である。経路の候補として、乗客の利用頻度の高いエレベータバンク内のエレベータを上位に表示している。
【００７４】
乗客の利用頻度の高いバンク内のかごを割当てかご候補の上位に表示させることにより、乗客が案内経路の候補からかごの選択を行う際に特に群管理のサービス状況などを考えることなく、よく使うバンク内のエレベータを優先的に利用できるようにすることが可能となる。
【符号の説明】
【００７５】
４  携帯情報端末（情報端末）
３０，３１  群管理制御装置
１０１，１０２  固定情報端末（情報端末）
２０２  端末位置検出手段
２０４  ビル情報記憶部
２０５  行先階呼び変換手段
２０６  移動経路演算手段
２０７  移動距離・移動時間演算手段
２０８  仮割当て情報収集手段
２０９  割当てかご候補選定手段
２１０  割当てかご決定手段
２１１  案内情報生成手段
２１２  通信手段
【図１】
0005608578.tif 000002
【図２】
0005608578.tif 000003
【図３】
0005608578.tif 000004
【図４】
0005608578.tif 000005
【図５】
0005608578.tif 000006
【図６】
0005608578.tif 000007
【図７】
0005608578.tif 000008
【図８】
0005608578.tif 000009
【図９】
0005608578.tif 000010
【図１０】
0005608578.tif 000011
【図１１】
0005608578.tif 000012
【図１２】
0005608578.tif 000013
【図１３】
0005608578.tif 000014
【図１４】
0005608578.tif 000015
【図１５】
0005608578.tif 000016
【図１６】
0005608578.tif 000017
【図１７】
0005608578.tif 000018
【図１８】
0005608578.tif 000019
【図１９】
0005608578.tif 000020
【図２０】
0005608578.tif 000021
【図２１】
0005608578.tif 000022